(57)【特許請求の範囲】
【請求項１】
第１ポイントに関連付けられたプラント内の前記第１ポイントと異なる第２ポイントから時系列に得られた第２プロセス値に少なくとも基づいて時系列に、上限制限値、前記上限制限値より値が小さい下限制限値、前記上限制限値より値が大きい上上限制限値、及び前記下限制限値より値が小さい下下限制限値、の中の少なくとも一つを制限値として演算処理する演算処理部と、
前記プラント内の監視対象の前記第１ポイントから時系列に取得された第１プロセス値と対応する前記制限値とを比較することで、前記第１プロセス値が前記制限値を超えた時点を判定する判定部と、
前記判定部で得られた前記時点に基づき定められた時間範囲内の前記第１プロセス値及び対応する前記制限値を時系列に表示装置に表示させる表示処理部と、
を備えることを特徴とするプラント監視装置。
【請求項２】
警報メッセージを生成した順に時系列に一覧化した警報画面を表示装置に表示させる警報画面表示処理部と、
前記警報画面中の前記警報メッセージのいずれかを指示する対話入力部と、
前記指示された警報メッセージに関連付けられたポイントを前記監視対象の第１ポイントとして出力する第１通達部と、を更に備え、
前記表示処理部は、前記第１通達部からの入力に応じて前記第１ポイントから取得された前記第１プロセス値及び対応する前記制限値を時系列に前記表示装置に表示させることを特徴とする請求項１に記載のプラント監視装置。
【請求項３】
前記判定部は、前記時系列に取得された第１プロセス値が対応する制限値を超え逸脱したか、前記逸脱した状態から逸脱していない状態に復帰したかを判定するものであって、前記逸脱した状態が発生した発生時刻、及び発生メッセージと関連付けられた警報メッセージと、前記逸脱した状態から逸脱していない状態に復帰した復帰時刻、及び復帰メッセージと関連付けられた警報メッセージと、を更に生成し、
前記警報メッセージを生成した順に時系列に一覧化した警報画面を前記表示装置に表示させる警報画面表示処理部と、
前記警報画面中の前記警報メッセージのいずれかを指示する対話入力部と、
前記指示された警報メッセージに関連付けられた時刻に基づく情報を前記表示処理部に出力する第２通達部と、を更に備え、
前記表示処理部は、前記第２通達部から入力された情報内の時刻を含む前記時間範囲内に前記第１プロセス値及び対応する前記制限値を時系列に前記表示装置に表示させることを特徴とする請求項１に記載のプラント監視装置。
【請求項４】
前記表示処理部は、前記演算処理部で演算処理された制限値、及び前記第１プロセス値が超えた当該制限値に応じた警報状態を示す数値を前記第１プロセス値と共に時系列に前記表示装置に表示させることを特徴とする請求項１乃至３のいずれか一項に記載のプラント監視装置。
【請求項５】
前記プラント内の前記監視対象のポイントと異なるポイントを関連情報履歴として設定処理する関連情報履歴設定処理部、を更に備え、
前記表示処理部は、前記第１プロセス値及び前記第１プロセス値に対応する制限値と共に、前記設定処理されたポイントに対応するプロセス値を前記表示装置に時系列に表示させることを特徴とする請求項１乃至４のいずれか一項に記載のプラント監視装置。
【請求項６】
プラント内の監視対象の第１ポイントから時系列に取得された第１プロセス値と対応する制限値とを比較することで、前記第１プロセス値が前記制限値を超えた時点を判定する判定部と、
前記判定部で得られた前記時点に基づき定められた時間範囲内の前記第１プロセス値及び対応する前記制限値を時系列に表示装置に表示させる表示処理部と、を備え、
前記表示処理部は、横軸が時間で縦軸が前記第１プロセス値である時系列グラフと、横軸が前記制限値を得るために用いたプロセス値で縦軸が前記第１プロセス値である相関グラフと、を切替えることのできるグラフタイプ切替部と、を更に備えるプラント監視装置。
【請求項７】
前記表示処理部は、横軸が時間で縦軸が前記第１プロセス値である時系列グラフと、横軸が前記制限値を得るために用いたプロセス値で縦軸が前記第１プロセス値である相関グラフと、を並べて前記表示装置の画面上に表示させるグラフ同時比較表示部と、
前記時系列グラフ上の指示された時刻に対応する前記相関グラフ上の領域を、他の領域と異なる色、及びハイライトの少なくともいずれか一方で識別させる相関グラフハイライト表示部と、を更に備えることを特徴とする請求項１乃至６のいずれか一項に記載のプラント監視装置。
【請求項８】
横軸が時間で縦軸が前記第１プロセス値である時系列グラフと、横軸が前記制限値を得るために用いたプロセス値で縦軸が前記第１プロセス値である相関グラフと、を並べて前記表示装置の画面上に表示させるグラフ同時比較表示部と、
前記相関グラフ上の指示された範囲の時刻に対応する前記時系列グラフ上の領域を、他の領域と異なる色、及びハイライトの少なくともいずれか一方で識別させる時系列グラフハイライト表示部と、を更に備えることを特徴とする請求項１乃至６のいずれか一項に記載のプラント監視装置。
【請求項９】
前記表示装置への表示対象となるプロセス値に対する監視の有無に必要な条件式を所有し、条件式が成立した場合に前記対応する制限値を前記表示装置に表示させる制限値有効条件部と、を更に備えることを特徴とする請求項１乃至８のいずれか一項に記載のプラント監視装置。
【発明の詳細な説明】
【技術分野】
【０００１】
本発明の実施形態は、プラント監視装置に関する。
【背景技術】
【０００２】
発電プラントや化学プラント等の監視を行うプラント監視装置は、プラントを監視するための数々の機能を備えている。このような機能として、例えば、警報監視機能やグラフ表示機能がある。警報監視機能は、例えば、警報状態になったことを運転員に通知する機能である。
【０００３】
警報の通知方法として、例えば、図２７に例示する様な警報画面１８に警報メッセージを時系列に一覧表示することで運転員に通知する方法がある。この場合、運転員は、警報状態となったポイントから得られたプロセス値の変化を確認することでポイントが配置された監視対象の状態を確認する。例えば、図２８に例示する様な時系列にプロセス値を表示したグラフ画面１９を、グラフ表示機能を用いて表示装置に表示させる。
【０００４】
ところが、従来のグラフ画面１９では、監視対象であるプロセス値だけを表示していた。例えば、図２９は、警報状態になった後のプロセス値２９０の時系列変化を示す。このようなプロセス値２９０の時系列変化を従来のグラフ画面１９に表示した場合、警報状態（星印）となった後の時系列変化はほぼ一定値となっているので警報状態は悪い方向には向かっていないように見える。
【０００５】
しかし、プロセス値２９０に対応する制限値の演算に用いたプロセス値２９１は徐々に降下しているので、制限値の値も徐々に降下している。このため、制限値とプロセス値２９０との差は徐々に開いており、プラントは危険な状態に向かっている。このように、時間経過に伴い悪化方向に行っているのか、良くなる方向にあるのか監視対象の状態変化の傾向が把握し難い場合があった。
【０００６】
また、従来のグラフ表示機能は、例えば、警報画面と異なる画面を用いてグラフの表示処理を行っていたので処理が煩雑であり、例えば、警報画面から直ちにグラフ表示をさせることができなかった。
【先行技術文献】
【特許文献】
【０００７】
【特許文献１】特開２００１−３３１２１５号公報
【発明の概要】
【発明が解決しようとする課題】
【０００８】
本実施の形態は、ユーザにとって利便性の高いプラント監視装置を提供することである。
【課題を解決するための手段】
【０００９】
本実施形態によるプラント監視装置は、判定部と、表示処理部とを備える。判定部は、プラント内の監視対象の第１ポイントから時系列に取得された第１プロセス値と対応する制限値とを比較することで、第１プロセス値が制限値を超えた時を判定する。表示処理部は、判定部で得られた時に基づき定められた時間範囲内の第１プロセス値及び対応する制限値を時系列に表示装置に表示させる。
【図面の簡単な説明】
【００１０】
【図１】プラントの構成例を示す図。
【図２】本発明の第１の実施形態のプラント監視装置の構成例を示すブロック図。
【図３】プロセス値のデータ形式を例示している図。
【図４】パラメータが１つの場合の制限値を例示する図。
【図５】パラメータが２つの場合の制限値を例示する図。
【図６】制限値情報の例である制限値データを例示する図。
【図７】格納部３０内のデータを例示する図。
【図８】警報発生データの例を示す図。
【図９】警報画面を例示する図。
【図１０】警報トレンドグラフ画面の例を示す図。
【図１１】読取り２３の押下により表示される画面の例を示す図。
【図１２】本発明の第２の実施形態に関するプラント監視装置の構成例を示すブロック図。
【図１３】警報画面の中の警報メッセージを例示する図。
【図１４】発生時刻と任意の復帰時刻を含む警報トレンドグラフ画面を例示する図。
【図１５】本発明の第３の実施形態のプラント監視装置の構成例を示すブロック図。
【図１６】登録画面を例示する図。
【図１７】警報トレンドグラフ画面を例示する図。
【図１８】本発明の第４の実施形態のプラント監視装置の構成例を示すブロック図。
【図１９】時系列グラフを例示する図。
【図２０】相関グラフを例示する図。
【図２１】表示替えボタン２５をブレイクアウトした状態を示す図。
【図２２】比較表示ボタン２６を例示する図。
【図２３】時系列グラフと、相関グラフを並べて表示装置３に表示させた例を示す図。
【図２４】指示された相関グラフ上の範囲の時刻に対応する時系列グラフ上の領域を例示する図。
【図２５】本発明の第７の実施形態のプラント監視装置の構成例を示すブロック図。
【図２６】監視値を時系列に表示した例を示す図。
【図２７】警報画面を例示する図。
【図２８】時系列にプロセス値を表示したグラフ画面を例示する図。
【図２９】警報状態になった後のプロセス値の時系列変化を例示する図。
【発明を実施するための形態】
【００１１】
以下、本発明の実施形態を、図面を参照して説明する。
【００１２】
（第１の実施形態）
図１乃至１１を用いて、第１の実施形態によるプラント監視装置１の構成を説明する。
【００１３】
図１は、プラント２の構成例を示す図である。まず、プラント２の構成例とポイントについて説明する。ポイントは、例えば、ポイントが配置された監視対象の状態を示すプロセス量を取得するプロセス量入力点（ＰＩＤと略称される）である。例えば、ポイントには、プラント２内で監視対象となるプロセス量を取得するためのセンサが配置される。
【００１４】
図１中で、ボイラ４１０で加熱された主水蒸気の水蒸気温度はＰ１のセンサで取得され、主蒸気圧力はＰ３のセンサで取得される。また、ボイラ４１０で加熱された再熱蒸気の水蒸気温度はＰ２のセンサで取得され、再熱蒸気圧力はＰ４のセンサで取得される。
【００１５】
主水蒸気及び再熱蒸気のエネルギーを用いて回転するタービン３１０の回転に従い発電機３００が発電する。発電機３００が発電した発電量は、ポイントＰ７のセンサで取得される。また、復水器３２０へ冷却水を供給するポンプ３３０の冷却水温度はポイントＰ８のセンサで取得される。この復水器３２０に並列に接続されるＡ復水ポンプ３４０及びＢ復水ポンプ３５０から出される復水流量は、Ｐ９のセンサで取得される。
【００１６】
また、脱塩装置３６０及び給水加熱器３７０を通過した復水は、Ａ給水ポンプ３８０及びＢ給水位ポンプ３９０を介して給水加熱器４００に給水される。このＡ給水ポンプ３８０及びＢ給水位ポンプ３９０の給水ポンプ出口圧力は、それぞれＰ５、Ｐ６のセンサで取得される。
【００１７】
また、給水加熱器４００を介してボイラ４１０に供給される給水水量はＰ１０のセンサで取得される。このボイラ４１０へ燃料を供給する燃料タンク４２０の燃料流量はＰ１１のセンサで取得される。また空気予熱器４３０へ空気を送風する押込通風機４４０の空気流量はＰ１２のセンサで取得される。
【００１８】
図２は、本発明の第１の実施形態のプラント監視装置１の構成例を示すブロック図である。本実施形態のプラント監視装置１は、プラント入力処理部５と、演算処理部１０と、判定部６と、警報画面表示処理部８と、警報ポイント通達部１５と、表示処理部１４と、グラフ画面表示処理部１２等を備えている。
【００１９】
（プラント入力処理部５）
まず、図２中のプラント入力処理部５について説明する。ここで、格納部３０は、警報メッセージ格納部７、制限値情報データ格納部９、プロセス値履歴データ格納部１１、及び制限値履歴・警報履歴データ格納部１３を有する。
【００２０】
プラント入力処理部５は、プラント２内の、例えば、複数のポイントＰ１〜Ｐ１２にあるセンサから電気信号をプロセス量として取込む。次に、プラント入力処理部５は、例えば、ＥＵ校正機能を用いて、複数のポイントから取得したプロセス量をそれぞれ工学値としてのプロセス値に処理をする。プラント入力処理部５は、処理したプロセス値を格納部３０内のプロセス値履歴データ格納部１１に格納させる。これにより、プラント入力処理部５は、例えば、感度値であったセンサ等の出力値を物理単位の値に処理して格納部３０内に格納する。また、プラント入力処理部５は、処理したプロセス値を演算処理部１０、及び判定処理部６へも出力する。
【００２１】
また、プラント入力処理部５は、各ポイント内に配置してもよい。このため、ポイントからの出力に基づいて得られた信号をプロセス値とする。
【００２２】
図３は、格納部３０内のプロセス値履歴データ格納部１１に格納されるプロセス値のデータ形式を例示している図である。プラント入力処理部５は、複数のポイント（以後、「ＰＩＤ」と呼ぶ場合もある）のポイント名と、処理された時刻を含む日時を有するデータとしてプロセス値を格納部３０内のプロセス値履歴データ格納部１１に時系列に格納させる。ここで、複数のポイントＰ１〜Ｐ１２にはそれぞれ、例えば、ＴＡＧ１２３、ＴＡＧ２３４、ＴＡＧ８１５、ＴＡＧ４９６、ＴＡＧ７５５、ＴＡＧ５２４、ＴＡＧ４６２等のポント名が関連付けられるている。
【００２３】
（演算処理部１０）
次に、再び図２に戻り、演算処理部１０について説明する。演算処理部１０は、複数のプロセス値それぞれに対応する制限値を、制限値情報データ格納部９に格納される制限値情報に基づいて演算する。制限値に固定値を用いる場合の固定値の情報、及び制限値が可変値である場合に用いるプロセス値や関数の情報、を制限値情報として格納部３０内の制限値情報データ格納部９に格納されている。
【００２４】
次に、制限値に関して説明する。図４はパラメータが１つの場合の制限値を例示する図である。
【００２５】
演算処理部１０は、例えば、プラント２内の監視対象のおのおののプロセス値に対する上上限制限値、上限制限値、下限制限値、下下限制限値などの各制限値を求める処理部である。
【００２６】
演算処理部１０は、例えば、上限制限値、上限制限値より値が小さい下限制限値、上限制限値より値が大きい上上限制限値、及び下限制限値より値が小さい下下限制限値、の中の少なくとも一つを制限値として演算する。例えば、監視対象となるプラント２内のポイントから取得されたプロセス値（例えば、第１プロセス値）Ｙに対して、プラント２内の別のポイントから得られたプロセス値（例えば、第２プロセス値）をパラメータＸとする。
【００２７】
この場合、例えば、上上限制限値はＹ＝Ｆ１（Ｘ）で表される。Ｆ１は多項式や折れ線などで表される関数である。同様に上限制限値Ｙ＝Ｆ２（Ｘ）、下限制限値はＹ＝Ｆ３（Ｘ）、下下限制限値はＹ＝Ｆ４（Ｘ）で表される。ここで、演算処理部１０は、時系列に得られたプロセス値Ｘに基づいて時系列に制限値Ｙを演算処理する。
【００２８】
演算処理部１０は、例えば、制限値が固定値であれば、固定値を判定部６に出力する。また、演算処理部１０は、制限値が演算される可変値であれば、例えば、プラント入力処理部５より可変値を演算するためのプロセス値Ｘを取得する。次に、演算処理部１０は、プロセス値Ｘから関数を用いて制限値を演算処理し判定部６に出力する。この場合、例えば、格納部３０からプロセス値Ｘを取得してもよい。
【００２９】
図４はパラメータが１つの場合を例示していたが、パラメータは１つとは限らず複数のパラメータを用いて監視してもよい。  
図５はパラメータが２つの場合の制限値を例示する図である。例えば、制限値はＹ＝Ｆ１（Ｘ，Ｚ）のように２つのプロセス値Ｘ、Ｚをパラメータとする関数である。
【００３０】
図６は、格納部３０内の制限値情報データ格納部９に格納される制限値情報である制限値データを例示する図である。制限値情報は、制限値を可変値として演算する場合に用いる少なくとも１つのプロセス値の情報（例えば、Ｘ−ＰＩＤ、Ｚ−ＰＩＤ）、及び制限値として固定値を用いる場合の固定値の情報（例えば、制限値欄内の固定値３３０）のいずれかを複数のプロセス値ごとにそれぞれ関連付ける情報である。
【００３１】
図６中に示すようにプロセス値を示すタグ名（Ｙ−ＰＩＤ欄内の記載）毎に制限値が可変タイプ（例えばＣＲＶ１２３）であるか、固定値（例えば３３０）であるかが制限値欄内の記載に定義されている。また、演算処理部１０が用いる関数形式がカーブデータとしてプロセス値ごとに定義されている。このように、制限値情報をプロセス値毎に定義することができるので、プロセス値にあった演算処理を行うことができる。
【００３２】
演算処理部１０は、例えば、複数のプロセス値それぞれに対応する制限値を制限値情報に基づいて演算して時系列に格納部３０内の制限値履歴・警報履歴データ格納部１３に格納させる。
【００３３】
（判定部６）
次に、再び図２に戻り、判定部６について説明する。判定部６は、例えば、監視対象のプロセス値Ｙと制限値とを比較する。これにより、判定部６は、監視対象のプロセス値Ｙが制限値を逸脱する方向に超え逸脱したか判定する。また、判定部６は、監視対象のプロセス値Ｙが制限値を逸脱しない方向に超え、逸脱した状態から逸脱していない状態に復帰したかを判定する。
【００３４】
判定部６は、例えば、プラント２の監視対象のプロセス値Ｙと制限値の値を比較することで、警報状態を以下のロジックで複数の状態として判定する。  
Ｆ３（Ｘ）  ＜  Ｙ    ＜  Ｆ２（Ｘ）        ：正常
Ｆ２（Ｘ）  ≦  Ｙ  ＜  Ｆ１（Ｘ）         ：上限逸脱警報
Ｆ１（Ｘ）  ≦  Ｙ                       ：上上限逸脱警報
Ｆ４（Ｘ）  ＜  Ｙ  ≦  Ｆ３（Ｘ）         ：下限逸脱警報
Ｙ  ≦  Ｆ４（Ｘ）        ：下下限逸脱警報
【００３５】
このように、判定部６は、監視対象のプロセス値Ｙが上限制限値より小さく下限制限値より大きい場合を正常状態（０）、監視対象のプロセス値Ｙが上上限制限値より小さく上限制限値以上の場合を上限逸脱状態（１）、監視対象のプロセス値Ｙが上上限制限値以上の場合を上上限逸脱状態（２）、監視対象のプロセス値Ｙが下下限制限値より大きく下限制限値以下の場合を下限逸脱状態（−１）、監視対象のプロセス値Ｙが下下限制限値以下の場合を下下限逸脱状態（−２）、と判定する。また、判定部６は、全ての制限値を判定に用いる必要はなく、例えば、判定に、上限制限値だけを用いてもよい。
【００３６】
また、判定部６は、例えば、判定した警報状態を数値（上述の−２、−１，０，１，２）として時系列に制限値履歴・警報履歴データ格納部１３に格納させる。例えば、格納部３０に格納された数値が時系列に表示装置３の表示部に表示される。これにより、正常、上限逸脱警報、上上限逸脱警報、下限逸脱警報、下下限逸脱警報であるかユーザ（運転員）は把握することができ便利である。
【００３７】
このように、判定部６は、例えば、監視対象のプロセス値Ｙが対応する制限値（上限制限値、下限制限値）を超えたときを、プロセス値Ｙが制限値を超え逸脱した時点と判定する。これは、正常状態（０）から上限逸脱状態（１）、又は下限逸脱状態（−１）に状態が変わったときに相当する。
【００３８】
また、判定部６は、例えば、監視対象のプロセス値Ｙが対応する制限値（上限制限値、下限制限値）を超え逸脱した状態から、再び制限値（上限制限値、下限制限値）を超え逸脱していない状態に復帰した時点を判定する。これは、上限逸脱状態（１）、又は下限逸脱状態（−１）から正常状態（０）に状態が変わったときに相当する。
【００３９】
同様に、判定部６は、例えば、監視対象のプロセス値Ｙが対応する制限値（上上限制限値、下下限制限値）を超えたときを、プロセス値Ｙが制限値を超え逸脱した時点と判定する。これは、上限逸脱状態（１）から上上限逸脱状態（２）に変わったとき、又は下限逸脱状態（−１）から下下限逸脱状態（−２）状態に変わったときに相当する。
【００４０】
また、判定部６は、例えば、監視対象のプロセス値Ｙが対応する制限値（上上限制限値、下下限制限値）を超え逸脱した状態から、再び制限値（上上限制限値、下下限制限値）を超え逸脱していない状態に復帰した時点を判定する。これは、上上限逸脱状態（２）から上限逸脱状態（１）に変わったとき、又は下下限逸脱状態（−２）から下下限逸脱状態（−１）に変わったときに相当する。
【００４１】
また、判定部６は、例えば、監視対象のプロセス値Ｙと演算処理部１０で得られた制限値とを比較し、正常状態、上限逸脱状態、上上限逸脱状態、下限逸脱状態、下下限逸脱状態の中のいずれかの状態に変化があった時刻を取得してもよい。この場合、例えば、状態が悪い方向に変化した場合を発生とし、状態が良い方向に変化した場合を復帰とする。また、例えば、発生が生じた時刻を発生時刻、復帰が生じた時刻を復帰時刻とする。
【００４２】
また、判定部６は、複数のプロセス値Ｙを監視してもよい。例えば、複数のプロセス値Ｙのいずれかと対応する制限値を比較することで複数のプロセス値のいずれかが対応する制限値を超え逸脱したか、逸脱した状態から逸脱していない範囲に復帰したかを判定する。
【００４３】
図７は、格納部３０内の制限値履歴・警報履歴データ格納部１３に格納させるデータ例である。図７中に示すように、演算処理部１０は、例えば、プロセス値（例えばＴＡＧ１２３）に対応して演算処理部１０にて時々刻々に演算される制限値を時系列に制限値履歴・警報履歴データ格納部１３に格納させる。
【００４４】
また、図７中に示すように、判定部６は、例えば、プロセス値と関連付け、時々刻々に判定される警報状態を時系列に制限値履歴・警報履歴データ格納部１３に格納させる。ここで、制限値履歴・警報履歴データ格納部１３に格納されるデータのうち、警報状態は警報制限値を超えていれば１、そうでなければ０として保存してもよい。  
例えば、警報状態（例えば、上限逸脱状態、上上限逸脱状態、下限逸脱状態、下下限逸脱状態）を複数持っているプロセス値の場合、それぞれの警報状態ごとに警報状制限値を超えていれば１そうでなければ０と値をプロセス値に関連づけて制限値履歴・警報履歴データ格納部１３に格納させてもよい。また、上述の様に警報状態を、正常で０、上限逸脱で１、上上限逸脱で２、下限逸脱で−１、下下限逸脱で−２と格納させてもよい。
【００４５】
前者の場合は、警報状態の値を時系列に表示するためには、警報状態ごとに０、１表示をするので表示カーブが複数本必要となる。一方、後者の場合は、例えば、状態を示す数値−２、−１，０，１，２で警報状態を時系列表示するのでカーブが１本で表現できる。
【００４６】
このように、判定部６は、例えば、プラント入力処理部５から入力された監視対象のプロセス値Ｙと演算処理部１０で得られた制限値とを比較する。また、判定部６は、例えば、比較結果に基づき警報発生及び、警報復帰の有無を判定する。判定部６は、例えば、発生／復帰の変化があった場合、その時の時刻を付けて格納部３０内の警報メッセージ格納部７に格納する。
【００４７】
次に、判定部６は、例えば、制限値を超え逸脱が発生した発生時刻、逸脱したと判定されたプロセス値を得るために用いたポイントの情報、及び発生メッセージを有する警報メッセージを生成する。また、判定部６は、例えば、逸脱した状態から逸脱していない状態に戻った復帰時刻、逸脱していない状態に戻ったと判定されたプロセス値を得るために用いたポイントの情報、及び復帰メッセージを有する警報メッセージを生成する。判定部６は、例えば、これらの警報メッセージを格納部３０内の警報メッセージ格納部７に警報発生データとして格納させる。
【００４８】
図８は、警報メッセージ格納部７に格納された警報発生データの例を示す図である。
【００４９】
図８中に例示されるように、時刻（発生時刻、復帰時刻）を含む日時、ポイント（ＰＩＤ）、発生或いは復帰のメッセージ、制限値の情報、警報状態の情報を、例えば、警報発生データは関連付けられる。
【００５０】
（警報画面表示処理部８）
次に、再び図２に戻り、警報画面表示処理部８について説明する。警報画面表示処理部８は、例えば、警報メッセージ格納部７に格納された警報発生データを用いて、警報メッセージが生成された順に時系列に一覧化した警報画面１８を表示装置３に表示させる。例えば、警報画面表示処理部８は、対話対入力部４を用いて入力される操作情報が警報画面の表示要求であった場合、警報メッセージ格納部７から警報発生データを取得する。
【００５１】
図９は、警報画面１８を例示する図である。警報画面表示処理部８は、図９に例示するように、警報発生データを用いて表示装置３に警報画面１８を表示させる。このように、例えば、警報発生のポイント（ＰＩＤ）、時刻（発生時刻、復帰時刻のいずれか）を含む日時を有する警報メッセージを表示する。
【００５２】
（警報ポイント通達部１５）
次に、再び図２に戻り、第１通達部としての警報ポイント通達部１５について説明する。対話入力部４は、表示装置３に表示される警報監視画面１８内の複数の警報メッセージに関連づけられるポイント（ＰＩＤ）の中から少なくとも一つのポイントを指示する。次に、例えば、対話入力部４を用いて図９中に示されるグラフ表示ボタン２１を押下する。
【００５３】
警報ポイント通達部１５は、グラフ表示２１の押下に従い、警報メッセージの中から指示された警報メッセージ（例えば、グレーの帯で示される）に関連付けられたポイントの情報及び対応する制限値の情報を表示処理部１４に監視対象のポイント情報として出力する。表示処理部１４は、監視対象のポイントからえられたプロセス値及び対応する制限値を表示装置３に時系列表示させる。
【００５４】
警報監視画面１８内に警報メッセージとグラフ表示を指示するグラフ表示ボタン２１を並べて表示するので、他の画面を開かずにグラフ表示をさせることができる。また、警報ポイント通達部１５は、指示された警報メッセージに関連付けられたポイントを、監視対象のポイントとして表示処理部１４に出力する。このため、ユーザは警報メッセージの指示とグラフ表示２１の押下をするだけで、直ちにグラフ表示を行わせることができる。
【００５５】
これにより、グラフ表示を行うために、他の画面を表示する必要がなく表示を効率的に行える。
【００５６】
（表示処理部１４）
次に、表示処理部１４について説明する。表示処理部１４は、例えば、図９中のグラフ表示ボタン２１の押下に応じて図１０中の警報トレンドグラフ画面２２を表示装置３に表示させる。
【００５７】
この場合、表示処理部１４は、入力された監視対象のポイントの情報を用いて、格納部３０内のプロセス値履歴データ格納部１１に格納されるプロセス値を時系列に取得する。また、表示処理部１４は、例えば、入力された監視対象のポイントに対応する制限値及び警報状態を示す数値を格納部３０内の制限値履歴・警報履歴データ格納部１３から時系列に取得する。
【００５８】
表示処理部１４は、例えば、図９中のグラフ表示ボタン２１が押下された時刻を起点として、予め定められた時間範囲のデータを格納部３０から取得する。例えば、警報メッセージが発生した時刻の前後までの時間範囲のデータを格納部３０から取得する。
【００５９】
次に、表示処理部１４は、取得したデータを表示装置３０に表示させる。
【００６０】
図１０は、プロセス値、警報状態、及び制限値を時系列に表示した警報トレンドグラフの例を示す図である。表示処理部１４は、図１０に示すように、例えば、警報発生から現在に至る時間範囲のプロセス値及び制限値を時系列に表示した警報トレンドグラフを表示させる。
【００６１】
図１０中のペン番号１が警報状態を示す。ペン番号２，３，４，５は上上限、上限、下限、下下限の制限値の推移を示す。ペン番号６は監視対象のプロセス値の推移を示す。尚、グラフではペン番号２、３、４、５、６は同一レンジの方が判定しやすいので共通のレンジ設定としている。
【００６２】
図１１は、図１０中の読取り２３の押下により表示される画面の例を示す図である。
【００６３】
図１１に示すように対話入力部４の指示に従うカーソルを表示して警報発生の時点等の諸量を読み取って画面２２に表示してもよい。また、監視対象のプロセス値によっては上限制限値のみを制限値として監視する場合もある。このような場合、ペン番号２，３，４，５のうちペン番号３のみ表示し、ペン番号２，４，５は表示しなくてもよい。
【００６４】
表示処理部１４は、例えば、対話入力部４より入力されたグラフ表示に必要なプロセス値をプロセス値履歴データ格納部１１から取得する。
【００６５】
（グラフ画面表示処理部１２）
次に、再び図２に戻り、グラフ画面表示処理部１２は、例えば、プロセス値の時系列データを表示部３に画面データとして出力することでグラフ画面を表示させる。この場合、グラフ画面表示処理部１２は、制限値の時系列データを表示しない。また、グラフ画面表示処理部１２は、対話入力部４から表示要求指示を受け、警報画面１８と異なる画面を別に表示装置３に表示させてグラフ表示を指示する。
【００６６】
このように、第１の実施形態によれば、警報メッセージを選択することでプロセス値、制限値、警報状態の中で少なくともプロセス値、制限値を共に時系列に表示する。このため、運転員の警報監視における利便性を向上させることができる。
【００６７】
（第２の実施形態）
図１２は、本発明の第２の実施形態に関するプラント監視装置１の構成例を示したブロック図である。第１の実施形態と同様の構成には同一の番号を付して説明を省略する。
【００６８】
第１の実施形態の警報ポイント通達部１５に替え、或いは、警報ポイント通達部１５に追加して警報ポイント・時刻情報通達部１６を備えたものである。
【００６９】
図１３は、警報画面表示処理部８が表示装置３に表示させている警報画面１８０の中の警報メッセージの例示である。警報画面１８０は、例えば、過去に発生した警報メッセージを時系列に表示する画面であり、警報履歴一覧画面と呼ばれる場合がある。
【００７０】
対話入力部４は、表示装置３に表示される複数の警報メッセージに関連づけられる時刻の中から少なくとも一つの時刻を指示する。
【００７１】
第２通達部としての警報ポイント・時刻情報通達部１６は、指示された時刻の情報を表示処理部１４に出力する。この場合、例えば、表示処理部２４は、警報ポイント・時刻情報通達部１６から入力された時刻（発生時刻、復帰時刻）を含む予め定められた時間範囲内のプロセス値及び制限値を時系列に表示装置３に表示させる。このように、表示処理部１４は、例えば、警報ポイント・時刻情報通達部１６から入力された時刻をプロセス値が制限値を超えた時として用いる。
【００７２】
また、この場合、グラフ表示させる時間範囲をグラフの横軸から予め定めておき、グラフの横軸の範囲から定められた時間範囲を用いて表示処理部１４は、プロセス値及び制限値を時系列に表示装置３に表示させてもよい。
【００７３】
また、予め定められた時間範囲内を、例えば、警報ポイント・時刻情報通達部１６から入力された時刻からグラフ表示２１が押下げられた時刻までとしてよい。
【００７４】
図１３中の警報メッセージのうち、メッセージ欄に「、、ＸＸＸ発生」と表示されている。この警報メッセージが対話入力部４から指定され且つ対応する復帰時刻が存在する場合がある。この場合、警報ポイント・時刻情報通達部１６は対応する復帰時刻を警報メッセージ格納部７から検索して取得してもよい。
【００７５】
この場合、警報ポイント・時刻通達部１６は、警報メッセージに関連づけられたポイントが発生時刻以降に復帰した復帰時刻を警報メッセージ格納部７から検索して取得する。例えば、警報メッセージ格納部７に格納される警報メッセージ中のメッセージには、「、、ＸＸＸ復帰」と記載されており復帰時刻及びポイント（ＰＩＤ）名が関連付けられている。このため、例えば、警報ポイント・時刻通達部１６は、「復帰」のテキスト、復帰時刻、及びポイント（ＰＩＤ）名を用いて警報メッセージ格納部７から発生時刻以降の復帰時刻を取得する。
【００７６】
また、警報ポイント・時刻通達部１６は、警報メッセージに関連付けられた発生時刻及び取得した復帰時刻が、監視対象のプロセス値を時系列表示するグラフ内に表示できる範囲を演算する。この場合、警報ポイント・時刻通達部１６は、プロセス値履歴データ格納部１１内を検索する起点時刻と終点時刻を演算する。次に、警報ポイント・時刻通達部１６は、表示処理部１４に起点時刻と終点時刻を出力する。
【００７７】
表示処理部１４は、表示装置３に警報トレンド画面２２を表示する際に警報ポイント・時刻情報通達部１６から監視対象の警報ポイントの情報だけでなく、警報メッセージに関連付けられた時刻に基づく情報として起点時刻及び終点時刻も合わせて取得する。
【００７８】
このように、警報ポイント・時刻通達部１６は、発生時刻、復帰時刻、及び発生時刻から復帰時刻を少なくとも含む範囲を示す時刻（起点時刻及び終点時刻）の中の少なくともいずれかを、警報メッセージに関連付けられた時刻に基づく情報として表示処理部１４に出力する。これにより、表示処理部１４が表示すべきデータを格納部３０から検索する場合、発生時刻と、復帰時刻と、起点時刻及び終点時刻とのいずれかを検索キーに加えて実行してよい。
【００７９】
この場合、例えば、表示処理部１４は、警報ポイント・時刻情報通達部１６から起点時刻及び終点時刻が入力された場合、起点時刻及び終点時刻の時間範囲内を少なくとも含むプロセス値及び制限値を時系列に格納部３０から取得する。
【００８０】
また、表示処理部１４は、発生時刻、復帰時刻のいずれかが入力された場合、発生時刻、復帰時刻のいずれかを少なくとも含む時間範囲内のプロセス値及び制限値を時系列に格納部３０から取得する。
【００８１】
また、この場合、表示処理部２４は、例えば、格納部３０から取得したプロセス値及び制限値を時系列に表示装置３に表示させる。
【００８２】
図１４は、指示された発生時刻と任意の復帰時刻を含む警報トレンドグラフ画面２２を例示する図である。
【００８３】
このように、警報メッセージを選択することで、例えば、図１４に例示するように、表示処理部１４は、指示された発生時刻と任意の復帰時刻を含む警報トレンドグラフ画面２２を表示装置３に表示させることが可能である。また、表示処理部１４は、画面上に最新ボタン２８を表示することにより、同ボタンが押下されたときに最新時刻の監視対象のポイントにおける警報トレンドグラフ画面２２に遷移させることも可能である。
【００８４】
例えば、現在の警報状態を表示する警報監視画面１８から警報メッセージに関連づけられる時刻を指示する場合、復帰時刻が存在しない場合が多い。このため、例えば図１０で示すように、グラフ表示２１が押下げられた時刻（現在）から予め定められた時間範囲のデータが表示される場合が多い。したがって、警報監視画面１８から指示する場合は、例えば、復帰時刻を検索しない第１モードにしてもよい。
【００８５】
一方、例えば図１３に示される過去の警報状態を表示する警報履歴一覧画面１８０から警報メッセージに関連づけられる時刻を指示する場合、復帰時刻が存在する場合が多い。このため、例えば図１４で示すように、指示した時刻から復帰時刻を少なくとも含む範囲が表示される場合が多い。したがって、例えば、警報履歴一覧画面１８０から指示する場合は、例えば、復帰時刻を検索する第２モードにしてもよい。
【００８６】
このように、図１３に例示されているように、対話入力部４を用いて過去の警報状態を表示する警報履歴一覧画面１８０で任意の警報メッセージを指示する。次に、対話入力部４を用いてグラフ表示ボタン２１を押し下げすることにより、その警報メッセージに関連付けられた時刻及び監視対象のポイントの警報トレンドグラフ画面２２を表示させることも可能となる。  
警報メッセージを指示することで、例えば、図１４に例示するように、表示処理部１４は、指示された発生時刻と任意の復帰時刻を含む警報トレンドグラフ画面２２を表示装置３に表示させることが可能である。
【００８７】
本実施形態のプラント監視装置１によれば、警報メッセージを指示することで、警報メッセージに関連付けられた時刻を用いてプロセス値を効果的に表示することができる。これにより、運転員の警報監視における利便性を向上させることができる。
【００８８】
（第３の実施形態）
本発明の第３の実施形態について図１５を用いて説明する。
【００８９】
図１５は、本発明の第３の実施形態のプラント監視装置１の構成例を示すブロック図である。第２の実施形態と同様の構成には同一の番号を付して説明を省略する。
【００９０】
第２の実施形態のプラント監視装置１は、関連情報履歴設定処理部１７を備えるものである。関連情報履歴設定処理部１７はプラント２内のポイントを関連情報履歴として対話入力部４を用いて設定処理する。
【００９１】
関連情報履歴設定処理部１７は、例えば、警報トレンドグラフ画面２２に任意のポイント（ＰＩＤ）名のプロセス値を表示するための設定処理をする。
【００９２】
図１６は、登録画面２０を例示する図である。図１６中の登録画面２０に示すように、例えば、対話入力部４を用いて監視対象のポイント（例えばＴＡＧ１２３４）と共に警報トレンドグラフ画面２２に表示したい任意のポイント名（例えばＴＡＧ４５６）を入力する。
【００９３】
関連情報履歴設定処理部１７は、入力されたポイント名を関連情報履歴として格納部３０内の制限値情報データ格納部９に格納する。
【００９４】
プラント入力処理部５は、関連情報履歴に設定されたポイントのプロセス量を取得してプロセス値として処理を行い格納部３０に時系列に格納する。
【００９５】
また、表示処理部１４は、格納部３０に格納されるポイントに対応するプロセス値及びプロセス値に対応する制限値と共に、設定されたポイントに対応するプロセス値を表示装置３に時系列に表示させる。
【００９６】
図１７は、警報トレンドグラフ画面２２を例示する図である。このように、表示処理部１４は、図１７中に示すように警報トレンドグラフ画面２２中に、ペン番号７で示されるポイント名（例えばＴＡＧ４５６）のプロセス値を表示する。この場合、表示処理部１４は、例えば、関連情報履歴設定処理部１７を経由して制限値情報データ格納部９より追加のポイント名（例えばＴＡＧ４５６）のプロセス値を取得する。これにより、ポイント名（例えばＴＡＧ４５６）を用いてプロセス値履歴データ格納部１１より時系列データを取得する。このため、監視対象のポイント（例えばＴＡＧ１２３４）に加えて任意のポイント名（例えばＴＡＧ４５６）のプロセス値（パラメータ値と呼ぶ場合がある）を警報トレンドグラフ画面２２に表示できる。図１６では追加したポイントは１つを例としているが、必要に応じて追加ポイントを複数にしてもよい。
【００９７】
このように、任意のポイント名（ＰＩＤ）のプロセス値（パラメータ値）を警報トレンドグラフ画面２２に追加表示できる。例えば、複数のポイント（ＰＩＤ）のプロセス値（パラメータ値）を用いて演算処理部１０にて制限値を演算して警報状態を判定処理部６にて処理している場合がある。この場合、演算処理部１０にて演算に用いたポイント名（ＰＩＤ）のプロセス値（パラメータ値）を合わせて表示してもよい。
【００９８】
本実施形態のプラント監視装置１によれば、監視対象のポイントに関連したポイントのプロセス値（パラメータ値）を合わせて表示することができる。これにより、警報状態が発生した１次の原因がどこにあるか容易に把握することが可能である。これにより、運転員の警報監視における利便性を向上させることができる。
【００９９】
（第４の実施形態）
本発明の第４の実施形態について図１８を用いて説明する。
【０１００】
図１８は、本発明の第４の実施形態のプラント監視装置１の構成例を示すブロック図である。第３の実施形態と同様の構成には同一の番号を付して説明を省略する。
【０１０１】
本発明の第４の実施形態は、表示処理部１４にグラフタイプを切替える切替処理機能を更に備えたものである。表示処理部１４は、横軸が時刻で縦軸が監視対象のポイントから得られたプロセス値の値である時系列グラフを表示する。また、表示処理部１４は、縦軸が第１プロセス値の値で横軸が制限値を演算するために用いたポイントから得られたプロセス値の値である相関グラフを表示する。
【０１０２】
表示処理部１４が有するグラフタイプ切替部１４０（図示せず）は、対話入力部４からの指示に従い、時系列グラフと相関グラフの表示を切替て表示装置３に表示させる。
【０１０３】
グラフタイプ切替部１４０は、例えば、対話入力部４からグラフタイプ変更要求を入力させる。グラフタイプ切替部１４０は、例えば、警報画面表示処理部８により表示されている警報メッセージの中で指定された警報メッセージに関連する監視対象のポイントを取得する。
【０１０４】
次に、グラフタイプ切替部１４０は、例えば、監視対象のポイントから得られたプロセス値の時系列データをプロセス値履歴データ格納部１１から取得する。また、グラフタイプ切替部１４０は、例えば、プロセス値に対応する制限値を取得する。また、表示処理部１４は、警報状態を示す数値を制限値履歴・警報履歴データ格納部１３を取得する。
【０１０５】
図１９は時系列グラフを例示する図である。グラフタイプ切替部１４０は、これらの取得したデータを用いて、例えば、図１９内の画面２２に例示される時系列グラフを表示装置３に表示させる。
【０１０６】
また、グラフタイプ切替部１４０は、例えば、図１９内に示すグラフタイプ表示替えに用いる表示替ボタン２５を画面に表示させる。
【０１０７】
対話入力部４を用いて表示替ボタン２５が押下され時系列グラフから相関グラフへの切替要求がグラフタイプ切替部１４０に入力される。この場合、表示処理部１４は、制限値を演算するために用いたポイントから得られたプロセス値（Ｘ軸）を時系列にプロセス値履歴データ格納部１１から取得する。この場合、表示処理部１４は、例えば、時系列グラフで取得したプロセス値（Ｙ軸）と同一期間、同一の時間間隔である同一メッシュで第２プロセス値を時系列にプロセス値履歴データ格納部１１から取得する。
【０１０８】
グラフタイプ切替部１４０は、例えば、同一時刻に取得されたＸ軸のプロセス値とＹ軸のプロセス値から相関グラフ上の座標を演算する。
【０１０９】
図２０は相関グラフを例示する図である。次に、表示処理部１４は、演算した座標をマーカ、あるいはラインを用いて図２０内に例示される画面２２に相関グラフとして表示させる。
【０１１０】
また、グラフタイプ切替部１４０は、制限値情報データ格納部９に格納部されている制限値曲線関数Ｙ＝Ｆ１（Ｘ）、Ｙ＝Ｆ２（Ｘ）、Ｙ＝Ｆ３（Ｘ）、Ｙ＝Ｆ４（Ｘ）の値（ペン番号２，３，４，５）も、例えば、図２０内に例示される画面２２に表示させる。
【０１１１】
また、グラフタイプ切替部１４０は、第１プロセス値の値上が制限値を超えている場合、該当するマーカやラインを他の領域と識別できる色や形に変えてもよい、これにより、制限値を超えている領域の識別性をあげることができる。
【０１１２】
また、相関グラフ上では時間方向の動きが識別しにくい。このため、グラフタイプ切替部１４０は、相関グラフ上のプロット間（データ間）を矢印で結んで時間方向の挙動を判るようにしてもよい。これにより、時系列な変化を識別することができる。  
また、グラフタイプ切替部１４０は、例えば、現在（表示する際）の最新のデータについて、例えば、星印のようなマーカを用いてもよい。これにより、現在のプラント状態のグラフ上での位置を識別することが容易になる。
【０１１３】
上記はパラメータが１つの場合である。グラフタイプ切替部１４０は、パラメータが２個以上も場合にも相関グラフ上にプロセス値をプロットしてもよい。例えば、図５に例示した３次元グラフのようにしてもよい。グラフタイプ切替部１４０は、例えば、図５に例示するグラフの、Ｙ軸Ｘ軸の平面をＺ軸の範囲で切替表示してもよい。
【０１１４】
制限値が可変である場合、監視対象のプロセス値とパラメータとなるプロセス値（制限値の演算に用いたプロセス値）の関係が重要である。このため、これらの間で制限値曲線が定義されている。これにより、制限値を超えて警報状態になっている状態を、相関グラフ上に表示することで実際のプラント状態を適切に把握することが可能となる。
【０１１５】
本実施形態のプラント監視装置１によれば、時系列グラフ、と相関グラフを切替表示できるので、プラント状態を適切に把握することができる。
【０１１６】
（第４の実施形態の変形例）
本発明の第４の実施形態の変形例は、本発明の第４の実施形態の表示処理部１４が、制限値が可変値の場合にグラフタイプ切替部１４０を有効とする切替有効判定部１４１（図示せず）を更に有するものである。
【０１１７】
図２１は、表示替えボタン２５をブレイクアウトした状態を示す図である。切替有効判定部１４１は、制限値が可変値でない場合、例えば、図２１に例示するように表示替えボタン２５をブレイクアウトや選択不能状態とする。これは、制限値が固定値なので相関グラフの横軸（Ｘ軸）にすべきポイントが定義されていなためである。
【０１１８】
そこで、時系列グラフを表示した段階で、切替有効判定部１４１は、監視対象のポイントが可変制限値で管理されているポイントか否かの情報を制限値情報データ格納部９から取得する。これにより、切替有効判定部１４１は、制限値が可変値である場合にグラフタイプ切替部１４０を有効化し、固定の制限値の場合には無効化することを行う。
【０１１９】
このようにグラフタイプ切替部１４０の有効化・無効化を、制限値のタイプにより行うことができる。これにより、制限値が固定の場合に、相関グラフに変換する誤操作を防ぐことができる。例えば、相関グラフに切替えたとき空白グラフが表示されてしまうことを防ぐことができる。
【０１２０】
（第５の実施形態）
本発明の第５の実施形態は、本発明の第４の実施形態の変形例のプラント監視装置１に、時系列グラフと、相関グラフとを並べて表示装置３の画面上に表示させるグラフ同時比較表示部１４２（図示せず）と、指示された時系列グラフ上の時刻に対応する相関グラフ上の領域を、他の領域と異なる色、及びハイライトの少なくともいずれか一方で識別させる相関グラフハイライト表示部１４３（図示せず）とを更に備えたものである。
【０１２１】
図２２は、比較表示ボタン２６を例示する図である。図２３は、時系列グラフと、相関グラフを並べて表示装置３に表示させた例を示す図である。例えば、図２２に例示すような比較表示ボタン２６を、対話部４を用いて押下する。この場合に、グラフ同時比較部１４２は、例えば、時系列グラフと、相関グラフを並べて表示装置３の画面上に表示させる。また、グラフ同時比較部１４２は、例えば、グラフレンジを時系列グラフと相関グラフを同じにする。これにより、データの位置関係の相互識別性をあげることができる。
【０１２２】
相関グラフハイライト表示部１４３は時系列グラフ上に図２３に示されるようなラインカーソルを表示させる。
【０１２３】
次に、相関グラフハイライト表示部１４３は、カーソル位置から時刻を取得する。また、相関グラフハイライト表示部１４３は、例えば、そのときのプロセス値と制限値などの値を画面２２中の表示エリアに表示する。相関グラフハイライト表示部１４３は、時系列グラフ上のカーソル位置に対応する相関グラフ上の時刻のデータをハイライト表示する。このように、相関グラフハイライト表示部１４３は、指示された時系列グラフ上の時刻に対応する相関グラフ上の領域を、他の領域と異なる色、及びハイライトの少なくともいずれか一方で識別させる。
【０１２４】
このように、２つのグラフを並べて表示することで、時系列のデータの流れの把握と、制限値の領域における値の位置関係の把握が同時にできる。これにより、プラント状態を把握することが容易になる。更に読取機能を２つのグラフで連動することでプラントの時間的な推移が２つの異なるグラフ上で同時に認識できる効果がある。
【０１２５】
本実施形態のプラント監視装置１によれば、時系列グラフで指示した領域に対応する領域を相関グラフ上で確認できるので、プラント状態を把握するのに便利である。
【０１２６】
（第６の実施形態）
本発明の第６の実施形態は、本発明の第５の実施形態のプラント監視装置１に、指示された相関グラフ上の範囲の時刻に対応する時系列グラフ上の領域を、他の領域と異なる色、及びハイライトの少なくともいずれか一方で識別させる時系列グラフハイライト表示部１４４（図示示せず）を更に備えたものである。
【０１２７】
時系列グラフ上で、例えば、ラインカーソルで指定されるデータは、横軸が時間であるため同一時刻は２個ないのでただ１つに決まる。このため、相関グラフ上に対応するデータは１個になる。
【０１２８】
一方、相関グラフ上では同一の座標に複数のデータが表示される場合がある。このため、相関グラフ上のデータを読み取る場合、ラインカーソルではなく、円あるいは四角、多角形等の閉領域で指定される範囲に入っているデータを対象とする。
【０１２９】
このため、相関グラフ上の読み取り時には複数の時刻のデータが選択される。
【０１３０】
これにより、指示された相関グラフ上の範囲の時刻に対応する相関グラフ上の領域を時系列グラフ上に示す場合、時系列グラフ上の複数個所を他と識別できるようにする。
【０１３１】
図２４は、指示された相関グラフ上の範囲の時刻に対応する時系列グラフ上の領域を例示する図である。時系列グラフハイライト表示部１４４は、相関グラフ上の領域（長方形）で指示された複数のデータの各々の時刻を取得する。これにより、時系列グラフハイライト表示部１４４は、例えば、図２４に例示するように、相関グラフ上の範囲の時刻に対応する時系列グラフ上の１つないし複数の領域をハイライト表示や対応する時間帯の背景を他の領域の色と異なる色で表示する。
【０１３２】
このように２つのグラフを並べて表示することで、時系列的な流れの把握と、制限値の領域における値の位置関係の把握が同時にできる。これにより、プラントの状態を正しく認識できるようになる。更に、読取機能を２つのグラフで連動することで、プラントの稼働状態の時間的な推移が、２つの異なるグラフ上で同時に認識できる効果がある。
【０１３３】
特に、相関グラフ上からの指定の場合には読取で指定されるデータが複数になるので、これに対応する時系列グラフの該当部分が一目でわかるようになる。
【０１３４】
本実施形態のプラント監視装置１によれば、相関グラフで指示した領域に対応する領域を時系列グラフ上で確認できるので、プラント状態を把握するのに便利である。
【０１３５】
（第７の実施形態）
本発明の第７の実施形態について図２５を用いて説明する。
【０１３６】
図２５は、本発明の第７の実施形態のプラント監視装置１の構成例を示すブロック図である。第６の実施形態と同様の構成には同一の番号を付して説明を省略する。
【０１３７】
本発明の第７の実施形態は、プラント監視装置１に制限値有効条件部２７を更に備えたものである。
【０１３８】
プラント２内には複数台の同種の装置が並行して稼働する場合がある。例えば、図１中のＡ給水ポンプ３８０及びＢ給水位ポンプ３９０のようにボイラ４１０への給水ポンプは２台ある。これにより、ボイラ４１０の稼働状態に応じて２台あるポンプの中の１台を選んで運転させることできる。例えば、給水先のボイラの稼働が最大稼働に近い場合には、全ての給水ポンプを稼働する。一方で、例えば、ボイラの稼働が初期の状態等の場合は、給水ポンプの運転は１台を選んで運転する。このように、並行して運転される給水ポンプの運転が１台から２台、或いは２台から１台になる場合がある。このように運転される給水ポンプが２台から１台になる場合、例えば、給水はされているのに運転が停止した給水ポンプが存在することになる。
【０１３９】
このため、制限値有効条件部２７は、プラント入力処理部５から入力されるプロセス値に対して警報監視を実施するか否かの条件式を有する。制限値有効条件部２７は、条件式が成立した場合のみ制限値を有効に設定する。
【０１４０】
制限値有効条件部２７は、例えば、給水ポンプ運転中という条件式に従い、運転中であれば条件が成立であり制限値を有効にすることができる。
【０１４１】
警報判定部６は、この制限値が有効になっているプロセス値に対してだけ監視をおこなう。このため、制限値有効条件部２７は、格納部３０内の制限値履歴・警報履歴・データ格納部１３に、演算された制限値、及び警報状態、と共に、条件式が成立しているか否かを示す指標を監視値として格納する。
【０１４２】
例えば、複数の給水ポンプの各々の吐出圧力のプロセス値を監視する際に、ポンプ運転中というプラントの条件に従い制限値を有効にすることができる。
【０１４３】
図２６は、監視値を時系列に表示した例を示す図である。表示処理部１４は、例えば、図２６中の警報トレンドグラフ画面２２にペン番号２，３，４，５に示すように制限値を時系列にグラフ表示する。また、表示処理部１４は、例えば、画面２２にペン番号ペン番号７で示すように、監視値を時系列に表示し条件が成立した有効状態と、条件が成立していない無効状態を表示する。
【０１４４】
このように、条件が成立している場合にプロセス値を監視することが可能となる。このため、例えば、複数台ある級数ポンプの運転数が変化した場合にも誤った警報メッセージを出さない。また、制限値はグラフ上にも表示されるのでプラント運転における利便性を向上させることができる。
【０１４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１４６】
以上、いくつかの実施形態を説明したが、これらの実施形態は、例としてのみ提示したものであり、発明の範囲を限定することを意図したものではない。本明細書で説明した新規な装置は、その他の様々な形態で実施することができる。また、本明細書で説明した装置の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【０１４７】
１：プラント監視装置
２：プラント
３：表示装置
４：対話入力部
５：プラント入力処理部
６：判定部
７：警報メッセージ格納部
８：警報画面表示処理部
９：制限値情報データ格納部
１０：演算処理部
１１：プロセス値履歴データ格納部
１２：グラフ画面表示処理部
１３：制限値履歴・警報履歴データ格納部
１４：表示処理部
１５：警報ポイント通達部（第１通達部）
１６：警報ポイント・時刻情報通達部（第２通達部）
１７：関連情報履歴設定処理部
２７：制限値有効条件部
３０：格納部
１４０：グラフタイプ切替部
１４１：切替有効判定部
１４２：グラフ同時比較表示部
１４３：相関グラフハイライト表示部
１４４：時系列グラフハイライト表示部
【図１】
0006445859.tif 000002
【図２】
0006445859.tif 000003
【図３】
0006445859.tif 000004
【図４】
0006445859.tif 000005
【図５】
0006445859.tif 000006
【図６】
0006445859.tif 000007
【図７】
0006445859.tif 000008
【図８】
0006445859.tif 000009
【図９】
0006445859.tif 000010
【図１０】
0006445859.tif 000011
【図１１】
0006445859.tif 000012
【図１２】
0006445859.tif 000013
【図１３】
0006445859.tif 000014
【図１４】
0006445859.tif 000015
【図１５】
0006445859.tif 000016
【図１６】
0006445859.tif 000017
【図１７】
0006445859.tif 000018
【図１８】
0006445859.tif 000019
【図１９】
0006445859.tif 000020
【図２０】
0006445859.tif 000021
【図２１】
0006445859.tif 000022
【図２２】
0006445859.tif 000023
【図２３】
0006445859.tif 000024
【図２４】
0006445859.tif 000025
【図２５】
0006445859.tif 000026
【図２６】
0006445859.tif 000027
【図２７】
0006445859.tif 000028
【図２８】
0006445859.tif 000029
【図２９】
0006445859.tif 000030